(57)【要約】【課題】トナーの無駄な消費を抑制することができる画像形成装置を提供する。【解決手段】ウオーミングアップ実行部１０２が、ウオーミングアップ処理を実行するに際して、カラー調整処理を実行させるか否かを設定する。ウオーミングアップ実行部１０２は、画像形成装置１０の電源投入時又は省電力化を図るスリープモードからの復帰時に、画像形成部１９０に所定のトナー像を形成させることで実施される所定のカラー調整処理を含むウオーミングアップ処理を実行させるものであり、設定部１０３において、カラー調整処理を実行させない設定がなされている場合、画像形成部１９０にカラー調整処理を除くウオーミングアップ処理を実行させる。【選択図】図２
2008152106.tif 000002
【特許請求の範囲】
【請求項１】
カラー画像又はモノクロ画像を記録紙に形成する画像形成手段と、
電源投入時又は省電力化を図るスリープモードからの復帰時に、前記画像形成手段に所定のトナー像を形成させることで実施される所定のカラー調整処理を含むウオーミングアップ処理を実行させるウオーミングアップ実行手段と、
前記ウオーミングアップ処理を実行するに際して、前記カラー調整処理を実行させるか否かを設定する設定手段とを備え、
前記ウオーミングアップ実行手段は、前記設定手段において、前記カラー調整処理を実行させない設定がなされている場合、前記画像形成手段に前記カラー調整処理を除くウオーミングアップ処理を実行させることを特徴とする画像形成装置。
【請求項２】
モノクロ画像を含むファクシミリデータを受信する通信手段を更に備え、
前記ウオーミングアップ実行手段は、スリープモードが設定されている状態において、前記通信手段によりファクシミリデータが受信された場合、前記ウオーミングアップ処理を実行するものであって、前記設定手段により前記カラー調整処理を実行させない設定がなされている場合、前記カラー調整処理を除くウオーミングアップ処理を実行することを特徴とする請求項１記載の画像形成装置。
【請求項３】
モノクロ画像を含むファクシミリデータを受信する通信手段を更に備え、
前記ウオーミングアップ実行手段は、スリープモードが設定されている状態において、前記通信手段によりファクシミリデータが受信された場合、前記設定手段により前記カラー調整処理を実行させない設定がなされているか否かに関わらず、前記カラー調整処理を除くウオーミングアップ処理を実行することを特徴とする請求項１記載の画像形成装置。
【請求項４】
前記画像形成手段は、カラー画像を構成する色成分毎のトナー像を形成する現像装置と、前記現像装置で現像されたトナー像を記録紙に定着させる定着装置とを含み、
前記カラー調整処理は、色成分毎のトナー像の色ずれを検出する色ずれ検出処理を含むことを特徴とする請求項１〜３のいずれかに記載の画像形成装置。
【請求項５】
前記カラー調整処理は、色成分毎のトナー像のそれぞれの濃度を所定の目標濃度にするための濃度補正処理を含むことを特徴とする請求項４記載の画像形成装置。
【請求項６】
前記カラー調整処理を除くウオーミングアップ処理は、定着手段の温度を所定の目標温度にするための加熱処理を含むことを特徴とする請求項１〜５のいずれかに記載の画像形成装置。
【発明の詳細な説明】
【技術分野】
【０００１】
本発明は、画像形成装置に関するものである。
【背景技術】
【０００２】
近年、良好な画像形成を行うために、電源投入時において、定着ローラを加熱したり、カラー画像を構成する各色成分のトナー像の色ずれを検出したりするウオーミングアップ処理を実行する画像形成装置が知られている。
【０００３】
例えば、特許文献１には、電源投入直後、又は省エネモードクリア直後に定着装置の温度を検知し、所定温度以下の場合に、パッチ画像を形成し、そのパッチ画像の濃度を測定することで、トナー像の濃度を目標濃度にするための濃度補正を行うことが開示されている（段落［００１３］）。
【特許文献１】特開平１０−１４８９７９号公報
【発明の開示】
【発明が解決しようとする課題】
【０００４】
しかしながら、特許文献１の手法では、定着装置の温度が目標温度以下の場合、必ず濃度補正処理が実行されているが、カラー画像とモノクロ画像とを形成可能な画像形成装置であって、主にモノクロ画像の印刷しか行われていない画像形成装置においては、ウオーミングアップ処理時に、濃度補正処理のようなカラー調整処理を行う必要はなく、このような場合、トナーを無駄に消費してしまう。
【０００５】
本発明の目的は、トナーの無駄な消費を抑制することができる画像形成装置を提供することである。
【課題を解決するための手段】
【０００６】
本発明の画像形成装置は、カラー画像又はモノクロ画像を記録紙に形成する画像形成手段と、電源投入時又は省電力化を図るスリープモードからの復帰時に、前記画像形成手段に所定のトナー像を形成させることで実施される所定のカラー調整処理を含むウオーミングアップ処理を実行させるウオーミングアップ実行手段と、前記ウオーミングアップ処理を実行するに際して、前記カラー調整処理を実行させるか否かを設定する設定手段とを備え、前記ウオーミングアップ実行手段は、前記設定手段において、前記カラー調整処理を実行させない設定がなされている場合、前記画像形成手段に前記カラー調整処理を除くウオーミングアップ処理を実行させることを特徴とする。
【０００７】
この構成によれば、ウオーミングアップ処理の実行時に、画像形成手段にトナー像を形成させることで実施されるカラー調整処理を実行させない設定がなされている場合、カラー調整処理を除くウオーミングアップ処理が実行されるため、主にモノクロ画像の印刷しか行われていない画像形成装置においては、ウオーミングアップ処理時に、カラー調整処理が実行されなくなり、トナーの無駄な消費を抑制することができる。
【０００８】
また、モノクロ画像を含むファクシミリデータを受信する通信手段を更に備え、前記ウオーミングアップ実行手段は、スリープモードが設定されている状態において、前記通信手段によりファクシミリデータが受信された場合、前記ウオーミングアップ処理を実行するものであって、前記設定手段により前記カラー調整処理を実行させない設定がなされている場合、前記カラー調整処理を除くウオーミングアップ処理を実行することが好ましい。
【０００９】
この構成によれば、スリープモードが設定されている状態において、モノクロ画像を含むファクシミリデータを受信した場合であって、ウオーミングアップ処理の実行時に、前記カラー調整処理を実行させない設定がなされている場合、カラー調整処理を除くウオーミングアップ処理が実行されるため、トナーの無駄な消費を抑制することができると共に、ウオーミングアップ処理の時間が短縮化される結果、受信したファクシミリデータに含まれるモノクロ画像を速やかに記録紙に形成することができる。
【００１０】
また、モノクロ画像を含むファクシミリデータを受信する通信手段を更に備え、前記ウオーミングアップ実行手段は、スリープモードが設定されている状態において、前記通信手段によりファクシミリデータが受信された場合、前記設定手段により前記カラー調整処理を実行させない設定がなされているか否かに関わらず、前記カラー調整処理を除くウオーミングアップ処理を実行することが好ましい。
【００１１】
この構成によれば、トナーの無駄な消費を抑制することができると共に、ウオーミングアップ処理の時間が短縮化される結果、受信したファクシミリデータに含まれるモノクロ画像を速やかに記録紙に形成することができる。
【００１２】
また、前記画像形成手段は、カラー画像を構成する色成分毎のトナー像を形成する現像装置と、前記現像装置で現像されたトナー像を記録紙に定着させる定着装置とを含み、前記カラー調整処理は、色成分毎のトナー像の色ずれを検出する色ずれ検出処理を含むことが好ましい。
【００１３】
この構成によれば、ウオーミングアップ処理の実行時に、カラー調整処理を実行させない設定がなされている場合、トナー像の色ずれを検出処理が実行されなくなる。
【００１４】
また、前記カラー調整処理は、色成分毎のトナー像のそれぞれの濃度を所定の目標濃度にするための濃度補正処理を含むことが好ましい。
【００１５】
この構成によれば、ウオーミングアップ処理の実行時に、カラー調整処理を実行させない設定がなされている場合、濃度補正処理が実行されなくなる。
【００１６】
また、前記カラー調整処理を除くウオーミングアップ処理は、定着手段の温度を所定の目標温度にするための加熱処理を含むことが好ましい。
【００１７】
この構成によれば、ウオーミングアップ処理の実行時に、カラー調整処理を実行させない設定がなされている場合、加熱処理が実行されることになる。
【発明の効果】
【００１８】
本発明によれば、ウオーミングアップ処理の実行時に、画像形成手段にトナー像を形成させるカラー調整処理を実行させない設定がなされている場合、カラー調整処理を除くウオーミングアップ処理が実行されるため、主にモノクロ画像の印刷しか行われていない画像形成装置においては、ウオーミングアップ処理時に、カラー調整処理が実行されなくなり、トナーの無駄な消費を抑制することができる。
【発明を実施するための最良の形態】
【００１９】
以下、図面を参照しつつ本発明の実施の形態について説明する。図１は、本実施の形態による画像形成装置１０の機械的構成を主に示す側面概略図である。画像形成装置１０は、本体部２０と、本体部２０の左側に配設された用紙後処理部３００と、ユーザが種々の操作指令等を入力するための操作部４００と、本体部２０の上部に配設された原稿読取部５００と、原稿読取部５００の上方に配設された原稿給送部６００とから構成される。
【００２０】
操作部４００は、操作パネル４０１、スタートキー４０２及びテンキー４０３等を備える。操作パネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。
【００２１】
原稿給送部６００は、原稿載置部６０１、原稿排出部６０２、給紙ローラ６０３、原稿搬送部６０４、コンタクトガラス６０５、及び原稿検出センサ６０６、６０７等を備え、原稿読取部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。また、スキャナ５０１は、コンタクトガラス６０５に載置された原稿を読み取る場合は、Ａ方向にスライドして原稿を読み取る。原稿検出センサ６０６は、記録紙の幅方向（紙面と直交する方向）に一定の間隔を設け複数個配列されている。原稿検出センサ６０７は、コンタクトガラス６０５の裏面に複数個配列されている。
【００２２】
本体部２０は、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、及び排出トレイ２１０を備える。本実施の形態では、給紙カセット２０１は、それぞれ、異なるサイズの記録紙を収納する。
【００２３】
感光体ドラム２０５は、矢印方向に回転しながら帯電装置（図示省略）によって一様に帯電される。露光装置２０６は、原稿読取部５００において読み取られた原稿の画像データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー像を形成する。
【００２４】
中間転写体ローラ２０４は、感光体ドラム２０５から各色のトナー像が転写され、中間転写体ローラ２０４上にカラーのトナー像が形成される。
【００２５】
一方、給紙ローラ２０２は、記録紙が収納された給紙カセット２０１から記録紙を引き出し、引き出した記録紙を転写ローラ２０３へと搬送する。転写ローラ２０３は、搬送された記録紙に中間転写体ローラ２０４上のトナー像を転写させる。トナー像が転写された記録紙は、定着ローラ２０８へと搬送され、定着ローラ２０８は、転写されたトナー像を加熱して記録紙に定着させる。その後、記録紙は、排出口２０９へと搬送され用紙後処理部３００に搬入される。また、記録紙は、必要に応じて排出トレイ２１０へも排出される。
【００２６】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２７】
図２は、画像形成装置１０の電気的な構成を示すブロック図である。図２に示すように、画像形成装置１０は、制御部１００、濃度測定部１１０、操作部１２０、画像取得部１３０、記憶部１４０、ＦＡＸ通信部１５０、定着部１６０、搬送部１８０、画像形成部１９０（画像形成手段）、及び電源回路２００を備えている。
【００２８】
制御部１００は、ＣＰＵ（中央演算処理装置）、ＲＯＭ（リードオンリーメモリ）、ＲＡＭ（ランダムアクセスメモリ）等を備え、ＣＰＵがＲＯＭに記憶したプログラムを実行することで画像形成装置１０の全体制御を司り、本実施の形態では、特にモード設定部１０１、ウオーミングアップ実行部１０２（ウオーミングアップ実行手段）、設定部１０３（設定手段）、及び画像形成制御部１０４を備えている。
【００２９】
モード設定部１０１は、画像形成装置１０の動作モードを通常モード又はスリープモードに設定するものであり、操作部１２０が予め定められた一定期間以上、ユーザからの操作入力を受け付けなかった場合、動作モードをスリープモードに設定し、動作モードをスリープモードに設定している状態において、操作部１２０によりユーザから何らかの操作入力が受け付けられた場合、動作モードをスリープモードから通常モードに復帰させる。
【００３０】
また、モード設定部１０１は、動作モードをスリープモードに設定している状態において、ＦＡＸ通信部１５０によりファクシミリデータが受信された場合、動作モードをスリープモードから通常モードに復帰させる。
【００３１】
ここで、通常モードは、電源回路２００が画像形成装置１０を構成する各装置に定格電力を供給するモードであり、スリープモードは画像形成装置１０の電力消費量を通常モードよりも低くするモードである。
【００３２】
ウオーミングアップ実行部１０２は、画像形成装置１０の電源投入時又は省電力化を図るスリープモードからの復帰時に、画像形成部１９０に所定のトナー像を形成させることで実施される所定のカラー調整処理を含むウオーミングアップ処理を実行させるものであり、設定部１０３において、カラー調整処理を実行させない設定がなされている場合、画像形成部１９０にカラー調整処理を除くウオーミングアップ処理を実行させる。ここで、画像形成装置１０の電源投入時としては、操作部１２０において、画像形成装置１０の電源を投入するための電源スイッチがオンされた時が該当する。なお、電源スイッチがオンされると、電源回路２００は、画像形成装置１０を構成する各装置に、商用電源からの電力の供給を開始する。
【００３３】
また、ウオーミングアップ処理は、定着部１６０の温度を目標温度にするための加熱処理と、カラー調整処理とを含み、カラー調整処理は、カラー画像を構成する色成分毎のトナー像の色ずれを検出する色ずれ検出処理と、カラー画像を構成する色成分毎のトナー像のそれぞれの濃度を所定の目標濃度にするための濃度補正処理とを含む。
【００３４】
ウオーミングアップ実行部１０２は、定着ローラ１６２を加熱するヒータ１６３に定着部１６０の加熱を開始させ、定着部１６０の温度が目標温度に到達すると、ヒータ１６３の加熱が停止されるように加熱処理を実行する。なお、ウオーミングアップ実行部１０２は、ヒータ１６３により測定された定着部１６０の温度と予め定められた目標温度とを比較することで、定着部１６０の温度が目標温度に到達したか否かを判定する。また、目標温度としては、記録紙にトナー像を定着させることが可能な温度が採用されている。
【００３５】
色ずれ検出処理は、カラー画像を構成する複数の色成分（ブラック、シアン、マゼンタ、イエロー）のトナー像を形成する４個の現像装置２０７Ｋ〜２０７Ｙがそれぞれ形成するブラック（Ｋ）、シアン（Ｃ）、マゼンタ（Ｍ）、イエロー（Ｙ）、のトナー像の位置のずれ量を検出する処理である。
【００３６】
ここで、ウオーミングアップ実行部１０２は、例えば特開２００５−２９２７６０号公報や、特開２００６−２０１６２４号公報に開示された手法を用いて、ずれ量を検出する。詳細な説明は特開２００５−２９２７６０号公報、又は特開２００６−２０１６２４号公報に開示されているため、色ずれ検出処理の概要のみ説明すると、ウオーミングアップ実行部１０２は、画像形成部１９０を制御して、図３に示すような、色ずれ検出マークを、中間転写体ローラ２０４に形成し、この色ずれ検出マークを濃度測定部１１０に読み取らせ、Ｙ，Ｍ，Ｃ，Ｋのうちいずれか１色を基準としたときの他の色の各々のずれ量を検出し、ずれ量記憶部１４２に格納する。
【００３７】
ここで、色ずれ検出マークは、中間転写体ローラ２０４の幅方向（主走査方向）の一方端部において、所定幅を有し、所定間隔で形成されたＹ，Ｍ，Ｃ，Ｋの４色の線状パターンからなる斜め線Ｌ１と、斜め線Ｌ１の上流側に、所定幅を有し、所定間隔で形成された４色の線状パターンからなる横線Ｌ２と、中間転写体ローラ２０４の幅方向の他方端部において、所定幅を有し、所定間隔で形成されたＹ，Ｍ，Ｃ，Ｋの４色の線状パターンからなる斜め線Ｌ１´と、斜め線Ｌ１´の上流側に、所定幅を有し、所定間隔で配列された４色の線状パターンからなる横線Ｌ２´とから構成されている。なお、斜め線Ｌ１と横線Ｌ２とは各々４つ存在し、交互に配列されている。斜め線Ｌ１´と横線Ｌ２´とも各々４つ存在し、交互に配列されている。
【００３８】
濃度補正処理は、現像装置２０７Ｍ〜２０７Ｋの各々により形成されるトナー像の濃度が良好な画像を得るために予め定められた目標濃度となるように現像装置２０７Ｋ〜２０７Ｙの各々のバイアス電圧を定めるための処理である。
【００３９】
ここで、ウオーミングアップ実行部１０２は、例えば特開平６−１９４９１８号公報に開示された手法を用いて、濃度補正処理を行う。詳細な説明は特開平６−１９４９１８号公報に開示されているため、濃度補正処理の概要のみ説明すると、ウオーミングアップ実行部１０２は、画像形成部１９０を制御することで、矩形状のパッチ画像を中間転写体ローラ２０４に形成し、このパッチ画像を濃度測定部１１０に読み取らせ、読み取らせた結果からパッチ画像が目標とする所定の目標濃度で形成されるような現像装置２０７Ｋ〜２０７Ｙの各々のバイアス電圧を求め、バイアス電圧記憶部１４３に格納する。なお、ウオーミングアップ実行部１０２は、Ｙ，Ｍ，Ｃ，Ｋのパッチ画像を中間転写体ローラ２０４に形成し、形成したＹ，Ｍ，Ｃ，Ｋのパッチ画像を濃度測定部１１０に読み取らせ、現像装置２０７Ｋ〜Ｙの各々のバイアス電圧を求め、バイアス電圧記憶部１４３に格納する。
【００４０】
設定部１０３は、ウオーミングアップ実行部１０２が、ウオーミングアップ処理を実行するに際して、カラー調整処理を実行させるか否かを設定する。ここで、設定部１０３は、操作部１２０により、ウオーミングアップ処理を実行するに際して、カラー調整処理を実行させないことを示す操作指令が受け付けられた場合、設定情報記憶部１４４に例えば「１」の設定情報を格納し、操作部１２０により、ウオーミングアップ処理を実行するに際して、カラー調整処理を実行させる操作指令が受け付けられた場合、設定情報記憶部１４４に例えば「０」の設定情報を格納することで、カラー調整処理を実行させるか否かの設定を行う。
【００４１】
画像形成制御部１０４は、画像形成部１９０を制御することで、画像取得部１３０により取得されたカラー画像又はモノクロ画像のトナー像を記録紙に形成する。ここで、画像形成制御部１０４は、画像取得部１３０によりＲ，Ｇ，Ｂの色成分からなるカラー画像が取得された場合は、カラー画像をＲＧＢ表色系からＹ，Ｍ，Ｃ，Ｋ表色系に変換してＹ，Ｍ，Ｃ，Ｋの各々の色成分画像を生成し、生成した色成分画像を、ずれ量記憶部１４２により記憶されたずれ量に従って、Ｙ，Ｍ，Ｃ，Ｋのいずれか１色を基準としたときの他の色成分画像の各々のずれ量が０になるようなタイミングで画像形成部１９０に出力し、出力した色成分画像を色ずれ検出処理によって求められたバイアス電圧で現像することで、中間転写体ローラ２０４にカラーのトナー像を形成する。なお、画像形成制御部１０４が、色成分画像の色ずれが０となるように出力するタイミングの算出処理については、特開２００５−２９２７６０号公報又は特開２００６−２０１６２４号公報に開示された手法を用いるものとする。
【００４２】
また、画像形成制御部１０４は、ＦＡＸ通信部１５０によりファクシミリデータが受信された場合、画像形成部１９０を制御して、受信されたファクシミリデータを記録紙に形成する。ここで、ＦＡＸ通信部１５０はモノクロ画像を含むファクシミリデータのみを受信し、カラー画像を含むファクシミリデータは受信できないため、画像形成制御部１０４は、ＦＡＸ通信部１５０によりファクシミリデータが受信された場合、画像形成部１９０に、モノクロのトナー像を形成させる。
【００４３】
濃度測定部１１０は、中間転写体ローラ２０４の近傍に配設された反射型フォトセンサから構成され、色ずれ検出処理を実行する際に、中間転写体ローラ２０４に形成される色ずれ検出マーク、及び濃度補正処理を実行する際に、中間転写体ローラ２０４に形成されるパッチ画像の濃度を測定する。
【００４４】
操作部１２０は、図１に示す操作部４００及び画像形成装置の電源をオン・オフするための電源スイッチを含み、ユーザからの種々の操作指令を受け付ける。
【００４５】
画像取得部１３０は、図１に示す原稿読取部５００から構成され、原稿を読み取ることでカラー画像又はモノクロ画像を取得する。ここで、画像取得部１３０は、操作部１２０によりカラー画像を読み取らせるための操作指令が受け付けられた場合、カラー画像を取得し、操作部１２０によりモノクロ画像を読み取らせるための操作指令が受け付けられた場合、モノクロ画像を取得する。
【００４６】
記憶部１４０は、例えばハードディスクドライブから構成され、画像メモリ１４１、ずれ量記憶部１４２、バイアス電圧記憶部１４３、及び設定情報記憶部１４４を備えている。画像メモリ１４１は、画像取得部１３０により取得されたカラー画像又はモノクロ画像を記憶する。ずれ量記憶部１４２は、色ずれ検出処理により求められた、Ｙ，Ｍ，Ｃ，Ｋのうちいずれか１色を基準としたときの残りの色の各々のずれ量を記憶する。バイアス電圧記憶部１４３は、濃度補正処理により求められた現像装置２０７Ｋ〜２０７Ｙの各々のバイアス電圧を記憶する。設定情報記憶部１４４は、設定部１０３によって設定された設定情報を記憶する。
【００４７】
ＦＡＸ通信部１５０は、例えばモデムから構成され、ファクシミリの通信規格に従って送信されるファクシミリデータを受信する。ここで、ＦＡＸ通信部１５０は、モノクロ画像データを含むファクシミリデータのみ受信し、カラー画像を含むファクシミリデータは受信できない。
【００４８】
定着部１６０は、図１に示す定着ローラ２０８に相当し、温度センサ１６１、定着ローラ１６２、及びヒータ１６３を含み、トナー像を記録紙に定着させる。温度センサ１６１は、定着ローラ１６２の近傍に配設された例えばサーミスタから構成され、定着部１６０の温度を測定する。定着ローラ１６２は、図１に示す定着ローラ２０８を構成する一対のローラのうちの電磁クラッチによって駆動される駆動ローラから構成される。ヒータ１６３は、例えばＩＨヒータから構成され、定着ローラ１６２を加熱する。
【００４９】
搬送部１８０は、複数の給紙ローラ２０２と、これらの給紙ローラ２０２を駆動する電磁クラッチとを含み、画像形成制御部１０４の制御の下、記録紙を搬送する。
【００５０】
画像形成部１９０は、図１に示す転写ローラ２０３、中間転写体ローラ２０４、感光体ドラム２０５、露光装置２０６、及び現像装置２０７Ｙ〜２０７Ｋから構成され、画像形成制御部１０４の制御の下、記録紙にトナー像を形成すると共に、ウオーミングアップ実行部１０２の制御の下、中間転写体ローラ２０４に色ずれ検出マーク及びパッチ画像を形成する。
【００５１】
電源回路２００は、電源スイッチがオンされると、商用電源からの電力を画像形成装置１０を構成する各装置に供給し、電源スイッチがオフされると、商用電源からの電力の各装置への供給を遮断する。また、電源回路２００は、動作モードがスリープモードに設定されると、画像形成装置１０を構成する一部の装置への電力供給を遮断する、又は定格電力よりも低くするなどして、画像形成装置１０の電力消費量を低くする。一方、電源回路２００は、動作モードが通常モードに設定されると、画像形成装置１０を構成する各装置に定格電力を供給する。
【００５２】
次に、画像形成装置１０がウオーミングアップ処理を実行する際の動作について説明する。図４は、カラー調整処理を実行させない場合のウオーミングアップ処理が実行される際の処理を示したフローチャートである。なお、本フローチャートが実行される前に、設定部１０３より、「１」の設定情報が設定情報記憶部１４４に格納されることで、ウオーミングアップ処理を実行するに際して、カラー調整処理を実行させない設定がなされているものとする。
【００５３】
まず、電源スイッチがオンされ画像形成装置１０の主電源が投入される、又はモード設定部１０１により動作モードがスリープモードから通常モードに復帰されると（ステップＳ１でＹＥＳ）、ウオーミングアップ実行部１０２は、ヒータ１６３に電力供給を開始し、ヒータ１６３に定着部１６０の加熱を開始させる（ステップＳ２）。
【００５４】
次に、ウオーミングアップ実行部１０２は、定着部１６０の温度が目標温度に到達したと判定すると（ステップＳ３でＹＥＳ）、定着部１６０の加熱を終了する（ステップＳ４）。一方、ウオーミングアップ実行部１０２は、定着部１６０の温度が目標温度に到達していないと判定すると（ステップＳ３でＮＯ）、処理をステップＳ３に戻す。すなわち、ウオーミングアップ実行部１０２は、定着部１６０の温度が目標温度に到達するまで、ヒータ１６３に定着部１６０を加熱させる。そして、ウオーミングアップ実行部１０２は、定着部１６０の温度が目標温度に到達すると、色ずれ検出処理及び濃度補正処理からなるカラー調整処理を実行することなく、ウオーミングアップ処理を終了する。
【００５５】
図５は、ウオーミングアップ処理を実行するに際して、カラー調整処理がなされるウオーミングアップ処理が実行される際の処理を示したフローチャートである。
【００５６】
なお、本フローチャートが実行される前に、設定部１０３より、「０」の設定情報が設定情報記憶部１４４に格納されることで、ウオーミングアップ処理を実行するに際して、カラー調整処理を実行させる設定がなされているものとする。
【００５７】
ステップＳ１１〜Ｓ１４までの処理は、図４に示すステップＳ１〜Ｓ４と同じであるため、説明を省略する。ステップＳ１５において、ウオーミングアップ実行部１０２は、画像形成部１９０に図３に示すような色ずれ検出パターンを中間転写体ローラ２０４に形成させて色ずれ検出処理を実行する（ステップＳ１５）。次に、ウオーミングアップ実行部１０２は、画像形成部１９０に、Ｋ，Ｃ，Ｍ，Ｙのパッチ画像を中間転写体ローラ２０４に形成させて濃度補正処理を実行し（ステップＳ１６）、現像装置２０７Ｋ〜２０７Ｙの各々のバイアス電圧を求めて処理を終了する。
【００５８】
以上説明したように、画像形成装置１０によれば、ウオーミングアップ処理の実行時に、画像形成部１９０にトナー像を形成させることで実行されるカラー調整処理を実行させない設定がなされている場合、カラー調整処理を除くウオーミングアップ処理が実行されるため、主にモノクロ画像の印刷しか行われていない画像形成装置１０においては、ウオーミングアップ処理時に、カラー調整処理が実行されなくなり、トナーの無駄な消費を抑制することができる。
【００５９】
また、スリープモードが設定されている状態において、ファクシミリの通信規格に従って送信されたモノクロ画像を受信した場合であって、ウオーミングアップ処理の実行時に、カラー調整処理を実行させない設定がなされている場合、カラー調整処理を除くウオーミングアップ処理が実行されるため、ウオーミングアップ処理の時間が短縮化される結果、受信したファクシミリデータに含まれるモノクロ画像を速やかに記録紙に形成することができる。
【００６０】
なお、上記実施の形態では、スリープモードが設定されている状態において、ファクシミリの通信規格に従って送信されたモノクロ画像を受信した場合であって、ウオーミングアップ処理の実行時に、カラー調整処理を実行させない設定がなされている場合、カラー調整処理を除くウオーミングアップ処理が実行されるものとしたが、これに限定されず、スリープモードが設定されている状態において、ファクシミリの通信規格に従って送信されたモノクロ画像を受信した場合、ウオーミングアップ処理の実行時に、カラー調整処理を実行させない設定がなされているか否かに関わらず、カラー調整処理を除くウオーミングアップ処理が実行されるものとしてもよい。
【図面の簡単な説明】
【００６１】
【図１】本実施の形態による画像形成装置の機械的構成を主に示す側面概略図である。
【図２】画像形成装置の電気的な構成を示すブロック図である。
【図３】色ずれ検出処理が行われる際に中間転写体ローラに形成される色ずれ検出マークを示した図である。
【図４】ウオーミングアップ処理を実行するに際して、カラー調整処理を実行させない場合のウオーミングアップ処理が実行される際の処理を示したフローチャートである。
【図５】ウオーミングアップ処理を実行するに際して、カラー調整処理を実行させる場合のウオーミングアップ処理が実行される際の処理を示したフローチャートである。
【符号の説明】
【００６２】
１０  画像形成装置
２０  本体部
１００  制御部
１０１  モード設定部
１０２  ウオーミングアップ実行部
１０３  設定部
１０４  画像形成制御部
１１０  濃度測定部
１２０  操作部
１３０  画像取得部
１４０  記憶部
１４１  画像メモリ
１４２  ずれ量記憶部
１４３  バイアス電圧記憶部
１４４  設定情報記憶部
１５０  ＦＡＸ通信部
１６０  定着部
１６１  温度センサ
１６２  定着ローラ
１６３  ヒータ
１８０  搬送部
１９０  画像形成部
２００  電源回路
【図１】
2008152106.tif 000003
【図２】
2008152106.tif 000004
【図３】
2008152106.tif 000005
【図４】
2008152106.tif 000006
【図５】
2008152106.tif 000007